(57)【特許請求の範囲】
【請求項１】
上下方向に設置される枠状のフレームと、
該フレームの上部に設置されるか又は該フレームの上部を構成している上部ヘッダーと、
該フレームの下部に設置されるか又は該フレームの下部を構成している下部ヘッダーと、
該上部ヘッダーと下部ヘッダーとの間に架設された合成樹脂製の複数の放熱管とを有するパネルラジエータにおいて、
該放熱管が挿通された挿通孔を有し、該上部ヘッダーと下部ヘッダーとの間に配置され、該フレームに取り付けられた透明又は半透明のスルーパネル（２０）が設けられており、
該上部ヘッダーを覆う上部カバーと、該下部ヘッダーを覆う下部カバーとがそれぞれ設けられており、
該フレームは、縦材（４Ａ）としてパネルラジエータの正面視において左辺に位置する左縦材、右辺に位置する右縦材、及び該左縦材と右縦材との間に位置する少なくとも１本の中間縦材とを備えており、各縦材の上端同士及び下端同士が横材又は前記ヘッダーによって連結されており、
各縦材（４Ａ）は、略円筒状であり、外周面の４等分位置に溝部（４ａ〜４ｄ）が設けられており、
各縦材のパネルラジエータ面方向の両側面の溝部（４ｂ，４ｄ）に該スルーパネル（２０）の側辺部が係合しており、
前記上部カバー（１６）及び下部カバー（１７）は、それぞれ、隣接する縦材間に跨る幅を有した長方形のパネル部（４１）と、該パネル部（４１）の一方の側端面に設けられた凸条部（４５）及び他方の側端面に設けられた凹条部（４４）と、パネル部（４１）の左右の側辺部に沿って上下方向に延設されたリブ部（４３）とを有したパネルカバー（４０）を備えており、
隣接するパネルカバー（４０）の凸条部（４５）と凹条部（４４）とが係合しており、
各パネルカバー（４０）のリブ部（４３）が縦材（４Ａ）のパネル厚み方向に対峙する溝部（４ａ，４ｃ）に係合しており、
該左縦材及び右縦材の外面のうち、パネル面方向の外向きの半周面は、半円筒状のサイドカバー（３０）で覆われており、
該サイドカバー（３０）は、半円筒形状部（３１）と、この半円筒形状部（３１）の内周面のうち円弧方向の中間部において上下方向に延設された２条のリブ（３２，３２）と、半円筒形状部（３１）の長手方向に延在する一方の端面に設けられた凸条部３３と、他方の端面に設けられた凹条部（３４）とを有しており、
凸条部（３３）がパネルカバー（４０）の凹条部（４４）に係合し、凹条部（３４）がパネルカバー（４０）の凸条部（４３）に係合し、リブ部（３２）が縦材（４Ａ）の溝部（４ｂ又は４ｄ）に係合していることを特徴とするパネルラジエータ。
【請求項２】
請求項１において、前記上部カバーはスルーパネルの上端部から上部ヘッダーまでを覆い、
前記下部カバーは、スルーパネルの下端部から下部ヘッダーまでを覆っていることを特徴とするパネルラジエータ。
【請求項３】
請求項１又は２において、少なくとも一部の前記放熱管の外面が着色されていることを特徴とするパネルラジエータ。
【請求項４】
請求項１ないし３のいずれか１項のパネルラジエータを天井と床との間に立設するパネルラジエータの立設方法であって、
アジャスターボルトを前記フレームから突出させることにより、前記上部カバー及び下部カバーを有しないパネルラジエータを突っ張らせた状態で天井及び床に固定し、その後、該上部カバー及び下部カバーをそれぞれ装着することを特徴とするパネルラジエータの立設方法。
【発明の詳細な説明】
【技術分野】
【０００１】
本発明は、パネルラジエータに係り、特に壁暖房用のパネルラジエータとその立設方法に関する。
【背景技術】
【０００２】
壁暖房用のパネルラジエータとして、上部横パイプと下部横パイプとの間に多数の合成樹脂製縦パイプを架設したものが、特開２００９−２２２２９７号公報に記載されている。同号公報のパネルラジエータでは、横パイプの両端がパネルラジエータ（同号公報では放熱器）の側枠に固定されている。
【先行技術文献】
【特許文献】
【０００３】
【特許文献１】特開２００９−２２２２９７号公報
【発明の概要】
【発明が解決しようとする課題】
【０００４】
上記特開２００９−２２２２９７号公報のパネルラジエータでは、上部及び下部横パイプが上枠及び下枠で覆われているが、この上枠及び下枠は１対の側枠同士の間に挟持されているため、容易には着脱できない。
【０００５】
本発明は、上部及び下部のヘッダーと、上下方向に延設された合成樹脂製放熱管と、各ヘッダーを覆うカバーとを有するパネルラジエータであって、該カバーを容易に着脱することができるパネルラジエータを提供することを目的とする。
【０００６】
また、上記特開２００９−２２２２９７号公報のパネルラジエータでは、上部及び下部横パイプが側枠同士の間に挟持され、固定されている。そのため、パネルラジエータの左右の幅員を変えるには、横パイプとして長さの異なるものを製作する必要があり、幅員の異なるパネルラジエータを製作する場合、コスト高となり製作日数も長くなる。
【０００７】
本発明は、その一態様において、上部及び下部のヘッダーと、上下方向に延設された合成樹脂製放熱管と、各ヘッダーを覆うカバーとを有するパネルラジエータであって、幅員の異なるパネルラジエータを容易に製作することができるパネルラジエータとその立設方法を提供することを目的とする。
【課題を解決するための手段】
【０００８】
本発明（請求項１）のパネルラジエータは、上下方向に設置される枠状のフレームと、該フレームの上部に設置されるか又は該フレームの上部を構成している上部ヘッダーと、該フレームの下部に設置されるか又は該フレームの下部を構成している下部ヘッダーと、該上部ヘッダーと下部ヘッダーとの間に架設された合成樹脂製の複数の放熱管とを有するパネルラジエータにおいて、該放熱管が挿通された挿通孔を有し、該上部ヘッダーと下部ヘッダーとの間に配置され、該フレームに取り付けられた透明又は半透明のスルーパネル（２０）が設けられており、該上部ヘッダーを覆う上部カバーと、該下部ヘッダーを覆う下部カバーとがそれぞれ設けられており、該フレームは、縦材（４Ａ）としてパネルラジエータの正面視において左辺に位置する左縦材、右辺に位置する右縦材、及び該左縦材と右縦材との間に位置する少なくとも１本の中間縦材とを備えており、各縦材の上端同士及び下端同士が横材又は前記ヘッダーによって連結されており、各縦材（４Ａ）は、略円筒状であり、外周面の４等分位置に溝部（４ａ〜４ｄ）が設けられており、各縦材のパネルラジエータ面方向の両側面の溝部（４ｂ，４ｄ）に該スルーパネル（２０）の側辺部が係合しており、前記上部カバー（１６）及び下部カバー（１７）は、それぞれ、隣接する縦材間に跨る幅を有した長方形のパネル部（４１）と、該パネル部（４１）の一方の側端面に設けられた凸条部（４５）及び他方の側端面に設けられた凹条部（４４）と、パネル部（４１）の左右の側辺部に沿って上下方向に延設されたリブ部（４３）とを有したパネルカバー（４０）を備えており、隣接するパネルカバー（４０）の凸条部（４５）と凹条部（４４）とが係合しており、各パネルカバー（４０）のリブ部（４３）が縦材（４Ａ）のパネル厚み方向に対峙する溝部（４ａ，４ｃ）に係合しており、該左縦材及び右縦材の外面のうち、パネル面方向の外向きの半周面は、半円筒状のサイドカバー（３０）で覆われており、該サイドカバー（３０）は、半円筒形状部（３１）と、この半円筒形状部（３１）の内周面のうち円弧方向の中間部において上下方向に延設された２条のリブ（３２，３２）と、半円筒形状部（３１）の長手方向に延在する一方の端面に設けられた凸条部３３と、他方の端面に設けられた凹条部（３４）とを有しており、凸条部（３３）がパネルカバー（４０）の凹条部（４４）に係合し、凹条部（３４）がパネルカバー（４０）の凸条部（４３）に係合し、リブ部（３２）が縦材（４Ａ）の溝部（４ｂ又は４ｄ）に係合していることを特徴とするものである。
【０００９】
請求項２のパネルラジエータは、請求項１において、前記上部カバーはスルーパネルの上端部から上部ヘッダーまでを覆い、前記下部カバーは、スルーパネルの下端部から下部ヘッダーまでを覆っていることを特徴とするものである。
【００１４】
請求項３のパネルラジエータは、請求項１又は２において、少なくとも一部の前記放熱管の外面が着色されていることを特徴とするものである。
【００１５】
本発明（請求項４）のパネルラジエータの立設方法は、請求項１ないし３のいずれか１項のパネルラジエータを天井と床との間に立設するパネルラジエータの立設方法であって、アジャスターボルトを前記フレームから突出させることにより、前記上部カバー及び下部カバーを有しないパネルラジエータを突っ張らせた状態で天井及び床に固定し、その後、該上部カバー及び下部カバーをそれぞれ装着することを特徴とするものである。
【発明の効果】
【００１６】
本発明のパネルラジエータ及びその立設方法では、上部ヘッダー及び下部ヘッダーを覆う上部カバー及び下部カバーがそれぞれ複数個のパーツを着脱可能に結合した組立式カバーであるので、容易に着脱することができる。
【００１７】
本発明によれば、パネルラジエータをカバーなしの状態で立設し、その後カバーを装着することにより、パネルラジエータを容易に立設することができる。また、既設のパネルラジエータからカバーを取り外し、上部ヘッダーや下部ヘッダーをメンテナンスすることも容易である。
【００１８】
このパネルラジエータは、壁に沿った位置だけでなく、壁から離隔した位置に間仕切り状に設置することもできる。パネルラジエータを間仕切り状に設置した場合には、パネルラジエータユニットの両側の部屋を暖房することができる。
【００１９】
このパネルラジエータにスルーパネルを設け、このスルーパネルに放熱管を挿通配置することにより美観が向上する。
【００２０】
なお、このスルーパネルを透明又は半透明とすることにより、放熱管から輻射される遠赤外線の透過率が高くなり、暖房効率が向上する。また、少なくとも一部の放熱管外面を着色することにより、独得の美観が付与される。
【００２１】
本発明において、パネルラジエータのフレームを、左縦材、右縦材、中間縦材とで構成し、これらの縦材の上端同士及び下端同士がヘッダー又は横材で連結した場合、中間縦材の本数を容易に変えることにより幅員を容易に変更することができる。
【図面の簡単な説明】
【００２２】
【図１】カバーを装着した状態のパネルラジエータ及びその設置構造を示す斜視図である。
【図２】カバーを取り外した状態におけるパネルラジエータ及びその設置構造を示す斜視図である。
【図３】温水通水停止時における、カバーを取り外した状態のパネルラジエータの構成を示す、下方から見上げた状態の斜視図である。
【図４】温水通水時における、カバーを取り外した状態のパネルラジエータの構成を示す、下方から見上げた状態の斜視図である。
【図５】（ａ）図は縦材の水平断面図、（ｂ）図は縦材の斜視図である。
【図６】（ａ）図は図１のVI−VI線に沿う断面図、（ｂ）図はスルーパネルの拡大断面図である。
【図７】図３のVII−VII線断面図である。
【図８】下部ヘッダーと縦材との取り付け方法を示す分解斜視図である。
【図９】（ａ）図は、縦材とアジャスターボルトとの係合関係を示す斜視図、（ｂ）図は同縦断面図である。
【図１０】カバーの斜視図である。
【図１１】（ａ）図はカバーの平面図、（ｂ）図は図１０のXI−XI線断面図である。
【図１２】図１０のXII−XII線断面図である。
【図１３】カバーの分解斜視図である。
【図１４】サイドカバーの斜視図である。
【図１５】パネルカバーの斜視図である。
【図１６】（ａ）図はカバーの組み付け状況を示す水平断面図、（ｂ）図は図１のXVI−XVI線断面図である。
【図１７】中間縦材へのカバーの取り付け状況を示す水平断面図であり、（ａ）図は分解図、（ｂ）図は組付け図である。
【図１８】別の実施の形態におけるカバーを装着した状態のパネルラジエータ及びその設置構造を示す斜視図である。
【図１９】図１８のカバーを取り外した状態におけるパネルラジエータ及びその設置構造を示す斜視図である。
【図２０】温水通水停止時における、図１８のカバーを取り外した状態のパネルラジエータの構成を示す、下方から見上げた状態の斜視図である。
【図２１】図１８のXXI−XXI線断面図である。
【図２２】（ａ）図は図１８のカバーの斜視図、（ｂ）図は図１８のカバーの平面図である。
【発明を実施するための形態】
【００２３】
以下、図面を参照して実施の形態について説明する。
【００２４】
第１図の通り、床１と天井２との間にパネルラジエータ３が立設されている。このパネルラジエータ３は、第２図〜第４図に示される通り、長方形枠状のフレーム４と、該フレーム４の上部に設置された上部ヘッダー５と、フレーム４の下部に設置された下部ヘッダー６と、該上部ヘッダー５と下部ヘッダー６との間に架設された放熱管７と、フレーム４の上部及び下部から突設されたアジャスターボルト８と、上部ヘッダー５をフレーム４の上部アングル４Ｂに吊支しているバネ（この実施の形態ではコイルバネ）１０と、放熱管７が挿通された透明又は半透明のスルーパネル２０等を備えている。
【００２５】
フレーム４は、好ましくはアルミ等の軽金属よりなるものであり、正面視の左側の縦材４Ａ、右側の縦材４Ａ、及びそれらの間の中間縦材４Ａと、隣り合う該縦材４Ａ，４Ａの上端同士の間に架設された上部アングル４Ｂと、縦材４Ａ，４Ａの下端同士の間に架設された下部ヘッダー６とにより構成されている。この実施の形態では、中間縦材は２本設けられており、合計４本の縦材が配設されている。隣り合う縦材４Ａ，４Ａ間にそれぞれ上部アングル４Ｂ、上部ヘッダー５、下部ヘッダー６、及びスルーパネル２０が配置されている。
【００２６】
この縦材４Ａの水平断面形状について、第５図を参照して説明する。この縦材４Ａはアルミ等の押出材よりなる略々円筒状であるが、外周面の４等分位置（第５図（ａ）の上、右、下、左）に溝部４ａ，４ｂ，４ｃ，４ｄが設けられている。溝部４ａ〜４ｄ間の筒状体外周部は、円弧状部４ｅとなっている。溝部４ｂ，４ｄは、第６図（ａ）のようにパネルラジエータ３のパネル面方向に対峙しており、該溝部４ｂ，４ｄにスルーパネル２０の側縁が係合する。溝部４ａ，４ｃは、パネル厚み方向に対峙している。該溝部４ａ，４ｃの入口側、すなわち、縦材４Ａの外周面側の両縁部には、この外周面を延長した形状の張出片４ｆ，４ｆが設けられている。
【００２７】
この張出片４ｆ，４ｆを利用してタオルハンガーなどの付属品を取付けることができる。
【００２８】
第５図において、各溝部４ａ〜４ｄの内周面側から、縦材４Ａの求心方向に（すなわち、軸心位置に向かって）リブ４ｇ，４ｈ，４ｉ，４ｊが突設されている。各リブ４ｇ〜４ｊの突出方向の先端は、縦材４Ａの軸心かつ等半径に位置している。リブ４ｇ〜４ｊの先端で囲まれるスペースが第９図（ｂ）のアジャスターボルト８の挿入スペース４ｓである。第９図の通り、アジャスターボルト８の先端を該スペース４ｓに挿入し、アジャスターボルト８の途中のナット８Ｎと縦材４Ａの端面との間に圧縮コイルバネ８Ｓが介在される。
【００２９】
溝４ａ，４ｂと円弧状部４ｅとの間、溝４ｂ，４ｃと円弧状部４ｅとの間、溝４ｃ，４ｄと円弧状部４ｅとの間、溝４ｄ，４ａと円弧状部４ｅとの間が、それぞれビスの挿入スペース４ｔとなっている。このスペース４ｔにビスをねじ込むことにより、上部アングル４Ｂと下部ヘッダー６がそれぞれ縦材４Ａ，４Ａの上端及び下端に連結固定される。
【００３０】
下部ヘッダー６の取付構造を第８図に示す。なお第８図は、この取付状況を示す下方から見上げた斜視図である。下部ヘッダー６の長手方向の両端から突片６ｔが突設され、この突片６ｔのビス挿通孔６ｈにテクスビス６ｇが挿通され、スペース４ｔにねじ込まれる。これにより、下部ヘッダー６が縦材４Ａ，４Ａの下端に固定されている。図示は省略するが、縦材４Ａ，４Ａの上端に対して上部アングル４Ｂの両端が同様にビス留めされる。
【００３１】
第２図〜第４図の通り、正面視の右側の下部ヘッダー６には、床１の開口１１を通過した循環往側の温水循環配管口の一端が接続され、左側の下部ヘッダー６には循環戻側の温水循環配管１３の一端が接続されている。この配管１２，１３はポリブテン、架橋ポリエチレン等の合成樹脂よりなり、その他端はボイラや分岐ヘッダー（図示略）に接続されている。
【００３２】
正面視で右側から１番目と２番目、２番目と３番目及び３番目と４番目（最左側）の下部ヘッダー６同士は、それぞれ合成樹脂製若しくは金属製の中継配管１４によって接続されている。１つの下部ヘッダー１６は、正面側の右半側に温水が導入される。この温水は、下部ヘッダー６の右半側に連なる各放熱管７を上昇し、上部ヘッダー５の右半側に入り、次いで、上部ヘッダー５の左半側からそれに連なる各放熱管７を流下し、下部ヘッダー６の左半側に流入し、中継配管１４を介して隣接する下部ヘッダー６に流入する。
【００３３】
ただし、温水循環配管１２，１３を各下部ヘッダー６にそれぞれ接続し、温水循環配管１２からの温水が下部ヘッダー６の右半側からそれに連なる放熱管７を流れ、上部ヘッダー５の右半側から左半側へ流れ、該左半側に連なる放熱管７を通って、下部ヘッダー６の左半側に流入し、次いで温水循環配管１３からボイラー等へ戻るようにしてもよい。
【００３４】
放熱管７は、この実施の形態ではポリブテン、架橋ポリエチレン等の合成樹脂チューブよりなり、スルーパネル２０に挿通され、上部ヘッダー５及び下部ヘッダー６に接続されている。
【００３５】
第３図及び第４図に明示される通り、上部ヘッダー５は、上部アングル４Ｂよりも所定距離下方に位置しており、上部ヘッダー５と上部アングル４Ｂとの間には、所定の間隙があいている。この上部アングル４Ｂに対し上部ヘッダー５がコイルバネ１０によって吊り支えられており、温水を放熱管７に通水して放熱管７が熱膨張により伸長したときの伸びを吸収するように構成されている。第７図の通り、フレーム４の縦材４Ａの上端部の溝部４ｂ又は４ｄに対し、バネ１０の約半分が配置され、溝部４ｂ又は４ｄに沿って上下方向に伸縮可能とされている。
【００３６】
放熱管７が挿通されたスルーパネル２０は、ポリカーボネート等の透明又は半透明な合成樹脂よりなる。このスルーパネル２０は、第６図（ｂ）、第１６図及び第１７図の通り、平行な１対の主板面２１，２１と、該主板面２１，２１同士を接続するリブ部２２とを有したハーモニカ形断面形状となっており、隣接するリブ部２２同士の間が放熱管７の挿通孔２３となっている。リブ部２２は主板面２１と垂直である。挿通孔２３は、縦材４Ａと平行方向に延在する。挿通孔２３は、方形断面形状である。
【００３７】
図示は省略するが、前記上部ヘッダー５には、下面側にタケノコ形（すなわち、先細状のテーパ部が多段に連設された形状）のノズル状の接続部が突設されている。放熱管７の上端をこの接続部に差し込み、バンドを外嵌させて締め付け、抜け止めする。また、各放熱管７の下端にジョイントが装着され、このジョイントが下部ヘッダー６のユニオン継手部に差し込まれ、クリップによって連結される。
【００３８】
前述の通り、この実施の形態では４本の縦材４Ａが立設されているので、合計３枚のスルーパネル２０が配設され、各スルーパネル２０の上側、下側にそれぞれ上部ヘッダー５及び下部ヘッダー６が配置されている。ただし、縦材４Ａの本数は３本又は５本以上であってもよく、従って、それらの間に配置されるスルーパネル２０も２枚又は４枚以上であってもよい。一般に、縦材４Ａをｎ（ｎは３以上の整数）本立設した場合、上部ヘッダー５、上部アングル４Ｂ、下部ヘッダー６及びスルーパネル２０は（ｎ−１）個ずつ設置される。
【００３９】
パネルラジエータ３を床１と天井２との間に間仕切り状に立設するには、ヘッダー５，６、スルーパネル２０、放熱管７、アジャスターボルト８及びコイルバネ１０を備えたフレーム４を部屋のパネルラジエータ設置予定位置にて起立させる。なお、下側のアジャスターボルト８と床１との間、及び上側のアジャスターボルト８と天井２との間には、ゴム、合成樹脂等よりなる固定座９又はパッキンを介在させるのが好ましい。次いで、パネルラジエータ３が鉛直となるように支えた状態で、アジャスターボルト８のナット８Ｎを回して縦材４Ａからの突出長さを増大させ、パネルラジエータ３を床１と天井２との間で突っ張らせて固定する。
【００４０】
次いで、温水循環配管１２，１３を下部ヘッダー６に接続する。その後、フレーム４の上部にカバー１６を取り付け、フレーム４の下部にカバー１７を取り付け、各ヘッダー５，６を隠蔽する。
【００４１】
次に、上部カバー１６及び下部カバー１７の構成について説明する。これらのカバー１６，１７は同一構造のものであり、使用状態が上向きであるか下向きであるかにおいてのみ相違するので、下部カバー１７について説明する。
【００４２】
第１０〜１６図の通り、カバー１７は１対のサイドカバー３０と、複数対（この実施の形態では３対）のパネルカバー４０とからなる８パーツの組み合せ方式のものである。
【００４３】
サイドカバー３０は、半円筒形状部３１と、この半円筒形状部３１の内周面のうち円弧方向の中間部において上下方向に延設された２条のリブ３２，３２と、半円筒形状部３１の長手方向に延在する一方の端面に設けられた凸条部３３と、他方の端面に設けられた凹条部３４とを有する。
【００４４】
パネルカバー４０は、縦材４Ａ，４Ａ間に跨がる幅を有した長方形のパネル部４１と、該パネル部４１の上辺から張り出す張出部４２と、パネル部４１の左右の側辺部に沿ってそれぞれ上下方向に延設されたリブ部４３とを有する。張出部４２の長手方向の両端側は四分円弧状の湾曲部４２ａとなっている。この湾曲部４２ａは、縦材４Ａの円弧状部４ｅに係合する形状及び大きさとなっている。パネル部４１の一方の側端面には凹条部４４が設けられ、他方の側端面には凸条部４５が設けられている。なお、パネル部４１に、その剛性を高めるために、適宜のリブを設けてもよい。
カバー１７をパネルラジエータ３に装着するには、パネルカバー４０をパネルラジエータ３の正面側において隣接縦材４Ａ，４Ａに跨がるように配置し、第１７図の如く、湾曲部４２ａを縦材４Ａの円弧状部４ｅに係合させると共に、リブ部４３を縦材４Ａの溝部４ｃに係合させる。パネルラジエータの反対側においても、パネルカバー４０を隣接縦材４Ａ，４Ａ間に跨がるように同様に配置し、リブ部４３を縦材４Ａの溝部４ａに係合させる。なお、隣接するパネルカバー４０の凹条部４４と凸条部４５とを係合させる。
【００４５】
次いで、第１６図の如く、サイドカバー３０を左端側及び右端側の各縦材４Ａの外面に重ね合わせ、凸条部３３をパネルカバー４０の凹条部４４に係合させ、凹条部３４をパネルカバー４０の凸条部４３に係合させ、さらに、リブ部３２を縦材４Ａの溝部４ｂ又は４ｄに係合させる。サイドカバー３０は、左右の縦材４Ａの外面のうち、パネル面方向の外向きの半周面を覆う。
【００４６】
カバー１６は、カバー１７を上下逆にすること以外は同様にしてパネルラジエータ３に装着される。
【００４７】
第１図の通り、上部カバー１６は天井２からスルーパネル２０の上端部付近までを覆い、下部カバー１７は床１からスルーパネル２０の下端部付近までを覆う。パネルカバー４０に張出部４２が設けられており、この張出部４２がスルーパネル２０に当接するか又は近接することにより、カバー１６，１７内が隠蔽される。
【００４８】
このように構成されたパネルラジエータ３にあっては、ヘッダー５，６がカバー１６，１７で隠蔽され、また、放熱管７が透明又は半透明のスルーパネル２０で覆われるので、美観に優れる。この放熱管７の少なくとも一部を、外面が青、赤、緑又はこれらの中間色などの有彩色となっているカラー放熱管とすることにより、独得の美観が醸し出される。
【００４９】
このパネルラジエータ３の放熱管７に温水を循環通水することにより、熱がパネルラジエータ３の両面から輻射される。スルーパネル２０が透明又は半透明であるので、放熱管７からの遠赤外線が効率よく部屋内に放射される。
【００５０】
温水を通水することにより、第４図のように放熱管７が熱膨張して伸長し、また温水通水を停止すると、第３図のように放熱管７が縮んで短くなるが、この放熱管７の伸縮はバネ１０によって吸収される。この実施の形態では、上部ヘッダー５の両端を吊支するバネ１０がそれぞれ溝４ｂ，ｄに収容されているので、上部ヘッダー５の揺れ動きが防止される。
【００５１】
この実施の形態では、下部ヘッダー６が固定状態となっているので、下部ヘッダー６と温水循環配管１２，１３との接続部に放熱管７の熱膨張による応力が負荷されず、この接続部の耐久性が良好である。
【００５２】
既設のパネルラジエータ３のヘッダー５，６のメンテナンス等を行う場合には、サイドカバー３０をパネルカバー４０から離反させることにより、カバー１６，１７を容易に取り外すことができる。また、既設のパネルラジエータ３からカバー１６又は１７を取り外し、最左端又は最右端の縦材４Ａに平行に新たな縦材４Ａを配置すると共に、この縦材４Ａ，４Ａ間にヘッダー５，６、スルーパネル２０、上部アングル４Ｂを配置してパネルラジエータ３の幅員を増大させることができる。同様に、既設のパネルラジエータ３から縦材４Ａ及びヘッダー５，６、スルーパネル２０、上部アングル４Ｂを取り外して、該パネルラジエータ３の幅員を小さくすることもできる。
【００５３】
パネルラジエータ３は、２本の縦材４Ａ，４Ａと１個ずつの上部ヘッダー５、下部ヘッダー６及びスルーパネル２０にて構成されてもよい。第１８図〜第２２図は、かかる構成を示すものであり、第１８，１９，２０図は前記実施の形態の第１，２，３図に相当し、第２１図は第６図（ａ）に相当し、第２２図は第１０図に相当する。第１８図〜第２１図の通り、２本の縦材４Ａ，４Ａ間の上部と下部に上部ヘッダー５と下部ヘッダー６が１個ずつ配置され、それらの間に１枚のスルーパネル２０が配置され、スルーパネル２０に放熱管７が挿通されている。スルーパネル２０の左右両側辺が左側縦材４Ａの溝部４ｂと右側縦材４Ａの溝部４ｄに係合している。上部ヘッダー５からスルーパネル２０の上部にかけて、また、下部ヘッダー６からスルーパネル２０の下部にかけてそれぞれカバー１７が設けられている。この場合、カバー１７は、第２２図の通り、１対のサイドカバー３０，３０と１対のパネルカバー４０，４０とからなる４パーツの組み合せ式のものである。
【００５４】
上記実施の形態は本発明の一例であり、本発明は図示以外の態様とされてもよい。例えば、１対のヘッダー５，６間の放熱管７の本数は図示以外でもよい。上部ヘッダー５を縦材４Ａ，４Ａ間に架設し、下部ヘッダー６を上下動可能にバネによって支えてもよい。
【００５５】
なお、特に本発明を限定するものではないが、前記バネ１０としては、線径１ｍｍのピアノ線を直径（外径）８．６ｍｍに巻回したものであって、４０ｍｍ変形（伸長）時の引張荷重が５ｋｇｆであるものを用いることができる。
【００５６】
本発明のパネルラジエータは壁に沿って立設されてもよい。
【符号の説明】
【００５７】
１  床
２  天井
３  パネルラジエータ
４  フレーム
４Ａ  縦材
４ａ〜４ｄ  溝部
４ｅ  円弧状部
４ｆ  張出片
４ｇ〜４ｊ  リブ
４ｓ  アジャスターボルトの挿入用スペース
４ｔ  ビスの挿入用スペース
４Ｂ  上部アングル
５  上部ヘッダー
５ａ  ノズル状接続部
６  下部ヘッダー
６ａ  ユニオン継手部
６ｆ  フランジ部
６ｈ  ビス挿通孔
６ｔ  突片
７  放熱管
８  アジャスターボルト
１０  バネ
１２，１３  温水循環配管
１４  中継配管
１６  上部カバー
１７  下部カバー
２０  スルーパネル
２３  放熱管の挿通孔
３０  サイドカバー
４０  パネルカバー
【図１】
0005648384.tif 000002
【図２】
0005648384.tif 000003
【図３】
0005648384.tif 000004
【図４】
0005648384.tif 000005
【図５】
0005648384.tif 000006
【図６】
0005648384.tif 000007
【図７】
0005648384.tif 000008
【図８】
0005648384.tif 000009
【図９】
0005648384.tif 000010
【図１０】
0005648384.tif 000011
【図１１】
0005648384.tif 000012
【図１２】
0005648384.tif 000013
【図１３】
0005648384.tif 000014
【図１４】
0005648384.tif 000015
【図１５】
0005648384.tif 000016
【図１６】
0005648384.tif 000017
【図１７】
0005648384.tif 000018
【図１８】
0005648384.tif 000019
【図１９】
0005648384.tif 000020
【図２０】
0005648384.tif 000021
【図２１】
0005648384.tif 000022
【図２２】
0005648384.tif 000023